(57)【要約】【課題】  多様な映像表現が可能な映像表示装置及び遊技機の提供。【解決手段】  映像表示装置１は、映像表示手段２と、収容ケース３と、第１反射ミラー４と、第２反射ミラー５と、を有している。映像表示手段２は、第１表示領域２１と、第２表示領域と、に区分して映像を表示する。収容ケース３は、上面が映像表示手段で構成され、内部に映像表示空間３ａが規定され、映像表示空間３ａを視認可能な視認部３６を備えている。第１反射ミラー４は、収容ケース３に支持され、第１表示領域２１に対面するように配置され、第１表示領域２１の光を視認部３６に向けて反射させる。第２反射ミラー５は、収容ケース３に支持され、第２表示領域２２に対面するとともに第１反射ミラー４と並列に配置され、第２表示領域２２の光を視認部３６に向けて反射させる。第１反射ミラー４と第２反射ミラー５とは、互いに形状が異なる。【選択図】図１
2019164307.tif 000002
【特許請求の範囲】
【請求項１】
第１表示領域と、第２表示領域と、に区分して映像を表示する映像表示手段と、
少なくとも一部が前記映像表示手段で構成され、内部に映像表示空間が規定され、前記映像表示空間を視認可能な視認部を備える収容ケースと、
前記収容ケースに支持され、前記第１表示領域に対面するように配置され、前記第１表示領域の光を前記視認部に向けて反射させる第１反射ミラーと、
前記収容ケースに支持され、前記第２表示領域に対面するとともに前記第１反射ミラーと並列に配置され、前記第２表示領域の光を前記視認部に向けて反射させる第２反射ミラーと、を有し、
前記第１反射ミラーと前記第２反射ミラーとは、互いに形状が異なることを特徴とする映像表示装置。
【請求項２】
前第１反射ミラーは、前記第２反射ミラーが反射した光の一部を透過させ、
前記映像表示空間には、前記視認部から視認可能なオブジェクトが配置され、
前記第１反射ミラー及び前記第２反射ミラーの少なくとも一方と、前記収容ケースと、の間には離間領域が規定されていて、
前記視認部から前記映像表示空間を視認したとき、前記オブジェクトの少なくとも一部と前記離間領域とが重複して視認できることを特徴とする請求項１に記載の映像表示装置。
【請求項３】
前記収容ケースは、前記映像表示手段を支持する一対の側壁と、前記映像表示手段と対向する底壁と、前記側壁及び前記底壁に接続される正面壁と、を備え、
前記視認部は、前記映像表示手段と、前記側壁と、前記正面壁と、によって区画されていることを特徴とする請求項１又は２に記載の映像表示装置。
【請求項４】
前記第２反射ミラーは、側面視における長さが前記第１反射ミラーよりも長く、
前記第１反射ミラーは、前記正面壁及び前記底壁と離間し、
前記第２反射ミラーは、前記底壁と離間していることを特徴とする請求項３に記載の映像表示装置。
【請求項５】
前記第１反射ミラー及び前記第２反射ミラーの少なくとも一方は、前記映像表示手段から離間していることを特徴とする請求項１から４のいずれか１項に記載の映像表示装置。
【請求項６】
前記第１表示領域に直交する方向から見て、前記第１反射ミラーと前記第２反射ミラーとの占有面積の合計は、前記第１表示領域と前記第２表示領域との面積の合計よりも小さいことを特徴とする請求項１から５のいずれか１項に記載の映像表示装置。
【請求項７】
前記収容ケースは、少なくとも一部が光を透過する素材で構成されていて、
前記映像表示空間には、オブジェクトが配置され、
前記映像表示手段は、前記オブジェクトの位置に基づいて前記第１表示領域及び前記第２表示領域の少なくとも一方に映像を表示することを特徴とする請求項１に記載の映像表示装置。
【請求項８】
前記第１反射ミラーと、前記第２反射ミラーとは、前記第１表示領域に直交する方向から見て少なくとも一部が重複していることを特徴とする請求項７に記載の映像表示装置。
【請求項９】
請求項１から６のいずれか１項に記載の映像表示装置を備えた遊技機。
【発明の詳細な説明】
【技術分野】
【０００１】
本発明は映像表示装置及び遊技機に関し、特に奥行のある映像を表示できる映像表示装置及び遊技機に関する。
【背景技術】
【０００２】
従来より、複数のハーフミラーと液晶表示部とを組み合わせることにより、奥行きのある映像を表示する多重映像表示装置が知られている（例えば、特許文献１）。液晶表示部は２つの領域に区画され、一の領域に描画された映像は第１ハーフミラーによって反射され、他の領域に描画された映像は第２ハーフミラーによって反射され、それらの映像を重ねることによって奥行のある映像を表現している。
【０００３】
また、画像表示面に対して傾斜した反射板を有する遊技機が知られている（例えば、特許文献２）。画像表示面を第１表示領域と第２表示領域とに区画し、第１表示領域に表示された映像を透過反射板で反射し第２表示領域に表示された映像を反射板で反射することにより、奥行きのある映像を表現している。
【０００４】
図１１に示すような従来の映像表示装置１０１は、液晶パネルである映像表示手段１０２と、収容ケース１０３と、収容ケース１０３に収容され映像表示手段１０２に対して４５°傾斜して配置される第１反射ミラー１０４と、収容ケース１０３に収容され映像表示手段１０２に対して４５°傾斜して配置される第２反射ミラー１０５と、を備えている。映像表示手段１０２は、第１反射ミラー１０４と対面する第１表示領域１２１と、第２反射ミラー１０５と対面する第２表示領域１２２と、を有している。収容ケース１０３の前部には映像表示装置１０１内部を視認する開口である視認部１３６が規定されている。
【０００５】
平面視において、第１表示領域１２１と第２表示領域１２２との面積の合計と、第１反射ミラー１０４と第２反射ミラー１０５との占有面積は、同一である。つまり、平面視において第１表示領域１２１と第１反射ミラー１０４とは完全に重複し、第２表示領域１２２と第２反射ミラー１０５とは完全に重複している。
【０００６】
第１反射ミラー１０４と第２反射ミラー１０５とは略同一形状であって、上端が映像表示手段１０２に当接するとともに下端が収容ケース１０３に当接している。第１表示領域１２１の映像は、第１反射ミラー１０４によって視認部１３６に向けて反射され、第１虚像位置１０４Ａに映し出される。第２表示領域１２２の映像は、第２反射ミラー１０５によって視認部１３６に向けて反射され、第２虚像位置１０５Ａに映し出される。これにより、視認部１３６から映像表示装置１０１内部を視認すると、第１反射ミラー１０４によって第１表示領域１２１の映像が第１虚像位置１０４Ａで表示され、第２反射ミラー１０５によって第２表示領域１２２の映像が第２虚像位置１０５Ａで表示される。映像表示装置１０１の映像は、目線７を中心に上端の目線１７１及び下端の目線１７２の範囲であれば第１反射ミラー１０４への映りこみなどがなく良好な状態で観ることができる。
【先行技術文献】
【特許文献】
【０００７】
【特許文献１】特開２００７−２６０１５５号公報
【特許文献２】特開２００５−２４５９４０号公報
【発明の概要】
【発明が解決しようとする課題】
【０００８】
しかし、従来の多重映像表示装置及び遊戯機では、液晶ディスプレイ等からの光を反射させることにより奥行のある映像を表現していたが、１枚の液晶ディスプレイの映像を同一形状の２枚の反射板で反射させていたため、奥行きのある映像は表現できるものの、ある特定の部分を強調することは難しく、表現の多様性に欠けていた。
【０００９】
また、多重映像表示装置では、第１ハーフミラーと第２ハーフミラーとが同一形状であるため、第１ハーフミラーが反射した光は必ず第２ハーフミラーを通過する。このとき、第２ハーフミラーによって光が減光されるため第１ハーフミラーの映像が僅かに暗くなり、映像が視認し難くなっていた。さらに、多重映像表示装置では、第１ハーフミラー及び第２ハーフミラーに側面から光が入り込むことによって映り込みが発生し、表示される映像の一部が見辛くなっていた。
【００１０】
映像表示装置１０１においては、目線１７１と目線１７２との間の範囲を超えて映像表示装置１０１を視認すると第１反射ミラー１０４と第２反射ミラー１０５とが互いに反射しあって合わせ鏡のような干渉状態になってしまうため、狭い範囲でしか映像表示装置１０１の映像を良好な状態で観ることができなかった。
【００１１】
そこで、本発明は多様な映像表現が可能な映像表示装置及び遊技機を提供することを目的とする。
【課題を解決するための手段】
【００１２】
上記課題を解決するために第１の発明は、第１表示領域と、第２表示領域と、に区分して映像を表示する映像表示手段と、少なくとも一部が前記映像表示手段で構成され、内部に映像表示空間が規定され、前記映像表示空間を視認可能な視認部を備える収容ケースと、前記収容ケースに支持され、前記第１表示領域に対面するように配置され、前記第１表示領域の光を前記視認部に向けて反射させる第１反射ミラーと、前記収容ケースに支持され、前記第２表示領域に対面するとともに前記第１反射ミラーと並列に配置され、前記第２表示領域の光を前記視認部に向けて反射させる第２反射ミラーと、を有し、前記第１反射ミラーと前記第２反射ミラーとは、互いに形状が異なることを特徴とする映像表示装置を提供している。
【００１３】
収容ケースの形状は、映像表示装置を設置するスペースや用途に応じて任意に設定するこができる。収容ケースによって視認部が区画されていてもよく、収容ケースが略直方体形状であって、いずれか１つの面を視認部として規定してもよい。また、当該視認部となる面は、何らの部材も配置されていない空間であってもよく、アクリル等の透過性を有する板を配置してもよい。
【００１４】
第２の発明では、第１の発明に記載された映像表示装置であって、前第１反射ミラーは、前記第２反射ミラーが反射した光の一部を透過させ、前記映像表示空間には、前記視認部から視認可能なオブジェクトが配置され、前記第１反射ミラー及び前記第２反射ミラーの少なくとも一方と、前記収容ケースと、の間には離間領域が規定されていて、前記視認部から前記映像表示空間を視認したとき、前記オブジェクトの少なくとも一部と前記離間領域とが重複していることを特徴としている。
【００１５】
第３の発明では、第１の発明又は第２の発明に記載された映像表示装置であって、前記収容ケースは、前記映像表示手段を支持する一対の側壁と、前記映像表示手段と対向する底壁と、前記側壁及び前記底壁に接続される正面壁と、を備え、前記視認部は、前記映像表示手段と、前記側壁と、前記正面壁と、によって区画されていることを特徴としている。
【００１６】
第４の発明では、第３の発明に記載された映像表示装置であって、前記第２反射ミラーは、側面視における長さが前記第１反射ミラーよりも長く、前記第１反射ミラーは、前記正面壁及び前記底壁と離間し、前記第２反射ミラーは、前記底壁と離間していることを特徴としている。
【００１７】
第５の発明では、第１の発明から第４の発明のいずれかに記載された映像表示装置であって、前記第１反射ミラー及び前記第２反射ミラーの少なくとも一方は、前記映像表示手段から離間していることを特徴としている。
【００１８】
第６の発明では、第１の発明から第５の発明のいずれかに記載された映像表示装置であって、第１表示領域に直交する方向から見て、前記第１反射ミラーと前記第２反射ミラーとの占有面積の合計は、前記第１表示領域と前記第２表示領域との面積の合計よりも小さいことを特徴としている。
【００１９】
第７の発明では、第１の発明に記載された映像表示装置であって、前記収容ケースは、少なくとも一部が光を透過する素材で構成されていて、前記映像表示空間には、オブジェクトが配置され、前記映像表示手段は、前記オブジェクトの位置に基づいて前記第１表示領域及び前記第２表示領域の少なくとも一方に映像を表示することを特徴としている。
【００２０】
第８の発明では、第７の発明に記載された映像表示装置であって、前記第１反射ミラーと、前記第２反射ミラーとは、前記第１表示領域に直交する方向から見て少なくとも一部が重複していることを特徴としている。
【００２１】
第９の発明では、第１の発明から第６の発明のいずれかに記載された映像表示装置を備えた遊技機を提供している。
【発明の効果】
【００２２】
第１の発明によると、第１反射ミラーと第２反射ミラーとは互いに形が異なるため、映像表示装置で多様な映像表現が可能となる。具体的には、視認部から見て第１反射ミラーと第２反射ミラーとが重なっていない部分については、第１反射ミラーと第２反射ミラーとが重なっている部分と比較して光の透過率が上がるためより明るく見える。これにより、強調したい映像を第２表示領域の当該重なっていない部分に対応する箇所に表示することによって、視認部から鮮明に当該映像を視認することができる。また、視認部から見て第１反射ミラーに反射された映像と第２反射ミラーに反射された映像とを重ねて見ることができるため、より奥行き感及び臨場感のある映像を表現することができる。さらに、収容ケースの少なくとも一部が映像表示手段で構成されているため、別途映像表示手段を備えるスペースが不要となり映像表示装置の小型化が可能となる。
【００２３】
第１反射ミラー及び第２反射ミラーは、第１表示領域及び第２表示領域の光を反射する構造であればよく、第１反射ミラー及び第２反射ミラーの光の透過率は任意の数値を選択することができる。例えば、第１反射ミラーを光の透過率ゼロとし、第２反射ミラーを透過率３０％とすると、第１反射ミラーが光を通さないため視認部から見て第１表示領域に表示される映像が非常に鮮明に見える。また、第１反射ミラー及び第２反射ミラーの光の透過率をともに３０％とすると、第１反射ミラーが第２反射ミラーからの光を透過させるため、第１表示領域及び第２表示領域の映像を同程度に鮮明に表現することができる。
【００２４】
第２の発明によると、視認部から映像表示空間を視認したときオブジェクトの少なくとも一部は離間領域と重複しているため、視認部からオブジェクトを明確に視認することができる。第１反射ミラーもしくは第２反射ミラーの奥にオブジェクトが位置している場合には、第１反射ミラーもしくは第２反射ミラーによって光が減光されるためオブジェクトが視認し難くなる。しかし、本発明によると、離間領域とオブジェクトの少なくとも一部とが重複しているため、第１反射ミラーもしくは第２反射ミラーを介すことなくオブジェクトを視認部から視認することができる。これにより、オブジェクトを明確に視認することができる。また、第１反射ミラーの透過率を低く設定することにより第１表示領域に表示される映像を強調できるとともに、透過率を高く設定することにより第１表示領域に表示される映像を弱めて第２表示領域に表示される映像を際立たせることができる。これにより、映像表示装置で多様な映像表現が可能となる。
【００２５】
第３の発明によると、視認部は映像表示手段と側壁と正面壁とによって区画されているため、収容ケースは正面壁の後方部分に広がりを持たせた構造となっている。これにより、視認部から映像表示空間を視認したとき、正面壁の後方部分に映像の広がりを持たせることができる。つまり、収容ケースにおいて視認部を周囲の壁で区画することで、映像表示空間を広く演出することができる。また、収容ケースに視認部を設けて視認可能な範囲を限定することにより、第１反射ミラーと第２反射ミラーとが互いに反射しあって合わせ鏡のような干渉状態（以下、単に干渉という）になる位置から視認できなくなる。これにより、映像表示空間を視認可能な位置では、反射ミラー同士の干渉が起きない良好な状態の映像を観ることができる。
【００２６】
第４の発明によると、第１反射ミラーは正面壁と離間しているため、視認部から差し込む蛍光灯等の光や視認部から視認する人物が第１反射ミラーに映りこむことを防止できる。正面壁は視認部を区画する壁の一つであるため、映像表示空間内における正面壁周辺には視認部から外部の光が差し込む。外部の光が蛍光灯等の局所的に明るい光の場合には、第１反射ミラーの正面壁近傍では蛍光灯の映りこみが発生する可能性があるが、本発明では第１反射ミラーと正面壁とは互いに離間しているため、このような問題が生じない。
【００２７】
また、第２反射ミラーは底壁と離間しているため、第２反射ミラーと第１反射ミラーとの間の干渉を防止できる。第２反射ミラーは、第１反射ミラーと並列に配置されており第２表示領域からの光を視認部に向けて反射している。このとき、視認部から第１反射ミラーと第２反射ミラーとの間で干渉が起こる可能性があった。しかし、本発明によると第２反射ミラーは底壁と離間しているため、第２反射ミラーと第１反射ミラーとの干渉を防止することができる。
【００２８】
また、第２反射ミラーは側面視において第１反射ミラーよりも長さが長いため、第２表示領域に表示される映像を第１反射ミラーよりも深さ方向に広がりのある映像として映像表示空間に表現することができる。
【００２９】
第５の発明によると、第１反射ミラー及び第２反射ミラーの少なくとも一方は映像表示手段から離間しているため、第１反射ミラー及び／又は第２反射ミラーの作り出す虚像の位置を視認部に対してより奥に表すことができる。これにより、映像表示手段及び収容ケースを小型化しつつ奥行のある映像を作り出すことができる。
【００３０】
例えば、第２反射ミラーと映像表示手段とが当接している場合には、第２反射ミラーが作り出す虚像の位置は、映像表示手段と当接している部分を中心に第２反射ミラーを回転させ第２表示領域と直交する位置が虚像の表示される位置となる。ここで、第２反射ミラーを映像表示手段と離間させると、虚像が表示される位置は第２反射ミラーの延長線と映像表示手段とが交わる位置を中心に第２反射ミラーを回転させ第２表示領域と直交する位置が虚像の位置となる。これにより、第２反射ミラーによる第２表示領域の映像の虚像位置をより奥に表現することができるため、映像の奥行感を維持したまま収容ケース及び映像表示手段の小型化を図ることができるとともに、製造コストを削減することができる。
【００３１】
第６の発明によると、第１表示領域に直交する方向から見て第１反射ミラーと第２反射ミラーとの占有面積の合計は第１表示領域と第２表示領域の面積の合計よりも小さいため、第１反射ミラーと第２反射ミラーとの干渉を抑制することができる。例えば、第１反射ミラーと第２反射ミラーとの占有面積が第１表示領域と第２表示領域との面積の合計と同一もしくは大きい場合には、視認部から映像表示空間を視認する角度によっては、第１反射ミラーと第２反射ミラーとの干渉が起きる可能性がある。しかし、第１反射ミラーと第２反射ミラーとの占有面積の合計を第１表示領域と第２表示領域の面積の合計よりも小さくすることにより、視認部から視認した際の第１反射ミラーと第２反射ミラーとの干渉を抑えることができる。ここでいう占有面積とは、第１表示領域に直交する方向から見て、第１反射ミラーと平行な平面において第１反射ミラー及び第２反射ミラー５が占有する面積をいう。
【００３２】
第７の発明によると、収容ケースは少なくとも一部が光を透過する素材で構成されているため、外部からの光を映像表示空間に取り込むことができる。これにより、映像表示空間が明るくなって、映像表示空間に配置されるオブジェクトを際立たせることができる。収容ケースにおいて、光を透過する素材の面積を増やすほど外部から取り込まれる光の量が多くなるため、第１反射ミラー及び第２反射ミラーから視認部に向けて反射される映像に比べてオブジェクトをより鮮明に見せることができる。また、収容ケースにおける光を透過する素材の面積を任意に設定することにより、映像表示空間へ入る光の量を調節することができる。これにより、オブジェクトと、第１反射ミラー及び第２反射ミラーから視認部に向けて反射される映像と、の目立ち具合を任意に設定することができるため、オブジェクトの多様な見せ方を演出することができる。
【００３３】
第８の発明によると、第１反射ミラーと第２反射ミラーとは第１表示領域に直交する方向から見て少なくとも一部が重複しているため、当該重複している部分に対応する第１表示領域もしくは第２表示領域に表示された映像は、第１反射ミラー及び第２反射ミラーのいずれにおいても反射されて複数の虚像を作り出すことができる。これにより、１つの映像から複数の虚像を作り出すことで多様な映像表現が可能となる。
【００３４】
第９の発明によると、第１の発明から第６の発明に記載した効果を奏する遊技機を提供することができる。
【００３５】
本発明によって、多様な映像表現が可能な映像表示装置及び遊技機を提供することができる。
【図面の簡単な説明】
【００３６】
【図１】本発明の第１の実施の形態による映像表示装置の斜視図。
【図２】本発明の第１の実施の形態による映像表示装置及び遊技機のブロック図
【図３】本発明の第１の実施の形態による映像表示装置の側面図。
【図４】本発明の第１の実施の形態による映像表示装置の収容ケースの平面図と映像表示手段の平面図。
【図５】本発明の第１の実施の形態による映像表示装置を遊技機に組み込んだ斜視図。
【図６】本発明の第２の実施の形態による映像表示装置の斜視図。
【図７】本発明の第２の実施の形態による映像表示装置の側面図。
【図８】本発明の第３の実施の形態による映像表示装置の斜視図。
【図９】図９（ａ）は本発明の第４の実施の形態による映像表示装置の斜視図であって、図９（ｂ）は本発明の第５の実施の形態による映像表示装置の斜視図。
【図１０】本発明の第３の実施の形態の変形例による映像表示装置の斜視図。
【図１１】従来の映像表示装置の側面図。
【発明を実施するための形態】
【００３７】
本発明の第１の実施の形態による映像表示装置１を図１乃至図５に基づき説明する。図１に示すように、前後上下左右方向を定義する。以下の説明において、平行、直交、垂直とは、略平行、略直交、略垂直の概念を含むものとする。
【００３８】
映像表示装置１は、映像表示手段２と、収容ケース３と、第１反射ミラー４と、第２反射ミラー５と、から主に構成されている。映像表示装置１は、図５に示すようにパチスロなどの遊技機６に搭載され、正面から見ると映像表示手段２の映像が第１反射ミラー４及び第２反射ミラー５に反射されて奥行のある映像を見ることができる。
【００３９】
映像表示手段２は液晶ディスプレイであって、図１に示すように、第１表示領域２１と、第２表示領域２２と、を有している。第１表示領域２１と第２表示領域２２とは、前後方向に隣接するように並列配置される。図１において、液晶ディスプレイの液晶面は映像表示手段２の下面に位置しているため、第１表示領域２１及び第２表示領域２２を点線で示し、液晶ディスプレイに表示される映像を模式的に示す。第１表示領域２１には魚が右から左に泳ぐ映像である第１の映像２１Ａが表示され、第２表示領域２２には海草及び泡の映像である第２の映像２２Ａ及び情報２２Ｂが表示されている。情報２２Ｂは、より目立たせたい情報表示領域として文字又は画像が流れるように表示される。映像表示手段２は、薄型のディスプレイであって、プラズマディスプレイ、有機ＥＬディスプレイ、発光ダイオードディスプレイ等を用いてもよい。
【００４０】
映像表示手段２は、図２に示すように、遊技機６の制御装置１０に電気的に接続されている。制御装置１０は、制御部１１と、記憶部１２と、から構成される。制御部１１は、映像表示手段２を制御する表示制御部１３を備えている。制御部１１はＣＰＵ及びメモリなどから構成され、記憶部１２に記憶されているオペレーティングシステムやプログラムをメモリ上にロードし、プログラムに含まれる様々な指令を実行する。表示制御部１３は、映像表示手段２を第１表示領域２１と第２表示領域２２とに区画し，それぞれ同一の又は異なる映像を表示する。記憶部１２は、オペレーティングシステムやプログラム等が記憶されるＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）から構成される。本発明を実行するためのプログラム及び各種データは、ホストコンピューター（サーバ）が備えている記憶媒体からネットワークを介して記憶部１２に配信してもよい。
【００４１】
図１に示すように、収容ケース３は略箱形状をなし、上部に映像表示手段２が配置されていて、映像表示手段２に対向する底壁３１と、底壁３１の左右方向端部から立設し映像表示手段２を支持する右壁３２及び左壁３３と、底壁３１の後端部から立設し映像表示手段２を支持する奥壁３４と、底壁３１の前端部から斜め前上方向に延びる正面壁３５と、から構成される。換言すると、収容ケース３の上面に相当する部分は、映像表示手段２によって構成されている。
【００４２】
映像表示手段２の前部と、右壁３２及び左壁３３と、正面壁３５の上端部と、によって視認部３６が区画されている。収容ケース３の内部には、略直方体の映像表示空間３ａが規定されていて、視認部３６から映像表示空間３ａを視認することができる。右壁３２及び左壁３３には、図示せぬミラー支持部が設けられていて、それぞれ第１反射ミラー４及び第２反射ミラー５を保持している。図５に示すように、映像表示装置１を遊技機６に搭載する際は、視認部３６にガラス又はアクリル製の透明板３６Ａが設けられる。右壁３２及び左壁３３は、本発明の側壁に相当する。
【００４３】
収容ケース３は、視認部３６から下方に向けて膨らむような形状であるため、目線７から映像表示空間３ａを視認したときに下方に広がりのある映像となる。視認部３６の下方であって正面壁３５の後方にも映像表示空間３ａが規定されているため、目線７１及び目線７２から映像表示空間３ａを視認したときにも映像表示空間３ａの映像を観ることができる。例えば、図１１に示すような従来の映像表示装置１０１の場合には、目線１７１から目線１７２の範囲を超えると第１反射ミラー１０４と第２反射ミラー１０５との干渉により映像表示空間１０３ａが視認し難くなるため、目線１７２から目線１７１までの範囲でしか映像表示空間１０３ａの映像を観ることができなかった。これに対し、本実施の形態では、図１１に点線で示すように目線７１から目線７２までの広い範囲で映像表示空間３ａの映像を観ることができる。
【００４４】
映像表示手段２の前方であって視認部３６の上部には、後端が映像表示手段２に当接し前端が右壁３２及び左壁３３の前端と面一な庇部３７が設けられている。庇部３７は、前上方向からの光が映像表示空間３ａ内に侵入することを抑制している。蛍光灯などの局所的に強い光が映像表示空間３ａに入り込むことによって第１反射ミラー４の前下部分において当該光が反射し、蛍光灯や視認部３６を視認する人物の映りこみが発生してしまう。庇部３７を設けることにより、視認部３６から第１反射ミラー４まで前後方向に距離ができるため、外部からの侵入した光の第１反射ミラー４への映りこみを抑制することができる。
【００４５】
第１反射ミラー４は、所定の割合で光を透過し反射するハーフミラーであって、映像表示空間３ａ内に映像表示手段２に対して４５°傾斜するように配置され、第１表示領域２１と対面している。第１表示領域２１の第１の映像２１Ａは、図３の矢印Ｄ１で示すように、第１反射ミラー４によって一部が反射されて前方から第１表示領域２１の映像を視認することができる。同時に、第１反射ミラー４は後方に位置する第２反射ミラー５は反射した光を減光させつつ透過させる。第１反射ミラー４の光透過率は任意に設定することができるが、１０％〜３０％の範囲が望ましい。
【００４６】
第１反射ミラー４は、側面視において映像表示手段２と当接する上端部４１と、上端部４１の反対側に位置する下端部４２と、を有している。第１反射ミラー４は下部がカットされていて、下端部４２は正面壁３５と離間している。下端部４２と正面壁３５との間の領域は、本発明の離間領域に相当する。下端部４２は、図３に点線で示すように、前面視において視認部３６における下端（正面壁３５の上端）よりも僅かに上方に位置している。仮に、第１反射ミラー４の下端部が正面壁３５に当接しているとすると、収容ケース３の斜め前上方向からの光が視認部３６を介して第１反射ミラー４に映りこんでしまう。本実施の形態では、第１反射ミラー４の下端部４２を正面壁３５（収容ケース３）から離間させることにより、第１反射ミラー４への光の映りこみを最小限に抑えている。
【００４７】
目線７から映像表示空間３ａを視認すると、第１表示領域２１に表示された第１の映像２１Ａは第１反射ミラー４で反射され、あたかも第１の映像２１Ａが第１虚像位置４Ａに存在しているかのように見える。詳細には、第１虚像位置４Ａは、上端部４１を中心に第１反射ミラー４を映像表示手段２と直交するまで回転させた位置となる。図１及び図３において第１虚像位置４Ａを一点鎖線で示し、図１において第１虚像位置４Ａに表示される第１の映像２１Ａを点線で示す。
【００４８】
第２反射ミラー５は、所定の割合で光を透過し反射するハーフミラーであって、映像表示空間３ａ内に映像表示手段２に対して４５°傾斜するように配置され、第２表示領域２２と対面している。第２反射ミラー５は第１反射ミラー４と平行であって、第１反射ミラー４に並列に配置されている。第２表示領域２２の第２の映像２２Ａは、図３の矢印Ｄ２で示すように、第２反射ミラー５によって一部が反射されて前方から第２表示領域２２の映像を視認することができる。図示せぬ光源を第２反射ミラー５の後下に配置した場合には、第２反射ミラー５は当該光源からの光を減光させて通過させる。第２反射ミラー５の光透過率は任意に設定することができるが、１０％〜３０％の範囲が望ましい。
【００４９】
第２反射ミラー５は、側面視において映像表示手段２及び奥壁３４と当接する上端部５１と、上端部５１の反対側に位置する下端部５２と、情報反射領域５３と、を有している。側面視において、上端部５１と下端部５２との長さは、上端部４１と下端部４２との長さよりも長い。換言すると、第２反射ミラー５は、第１反射ミラー４よりも面積が大きい。第２反射ミラー５の下部はカットされていて、下端部５２が底壁３１と離間している。下端部５２と底壁３１との間の領域は、本発明の離間領域に相当する。下端部５２は、図３に点線で示すように、前面視において視認部３６における下端（正面壁３５の上端）よりも下方に位置している。
【００５０】
情報反射領域５３は、図３に点線で示すように、第２反射ミラー５上であって、下端部４２と正面壁３５の上端との間の領域である。目線７から映像表示空間３ａを視認すると、第１反射ミラー４の下端部４２の直下であってその奥に情報反射領域５３に反射された情報２２Ｂが表示される。
【００５１】
仮に、第２反射ミラー５の下端部が底壁３１に当接しているとすると、第２反射ミラー５の下部の映像が第１反射ミラー４の下部に反射し、当該反射した映像が再び第２反射ミラー５の下部で反射し、と繰り返され、合わせ鏡のような状態となる干渉が発生する。本実施の形態では、第２反射ミラー５の下端部５２を底壁３１（収容ケース３）から離間させることにより、第１反射ミラー４と第２反射ミラー５との間の干渉を防止することができる。
【００５２】
図４に示すように、第１表示領域２１に直交する方向（上方向）から見て、第１反射ミラー４と第２反射ミラー５との占有面積は第１表示領域２１及び第２表示領域２２の面積の合計よりも小さい。ここでいう占有面積とは、第１表示領域２１と平行な平面において第１反射ミラー４及び第２反射ミラー５が占める面積をいう。第１反射ミラー４と第２反射ミラー５との間には、底壁３１が見えるように隙間が形成されているため、第１反射ミラー４と第２反射ミラー５との占有面積は第１表示領域２１及び第２表示領域２２の面積の合計よりも小さくなる。点線で示すように、第２表示領域２２の後端部と上端部５１との前後方向における位置は略一致しており、第１表示領域２１の前端部と下端部４２との前後方向における位置は略一致している。第１表示領域２１と第２表示領域２２との境界は、第１反射ミラー４と第２反射ミラー５との隙間に位置している。
【００５３】
目線７から映像表示空間３ａを視認すると、第２表示領域２２に表示された第２の映像２２Ａ及び情報２２Ｂは第２反射ミラー５で反射され、あたかも第２の映像２２Ａが第２虚像位置５Ａに存在しているかのように見える。詳細には、第２虚像位置５Ａは、上端部５１を中心に第２反射ミラー５を映像表示手段２と直交するまで回転させた位置となる。図１及び図３において第２虚像位置５Ａを一点鎖線で示し、図１において第２虚像位置５Ａに表示される第２の映像２２Ａ及び情報２２Ｂを点線で示す。
【００５４】
図１に示すように、表示制御部１３は、第１表示領域２１に第１の映像２１Ａの魚が右から左に泳ぐ映像を表示すると同時に、第２表示領域２２に第２の映像２２Ａである海草及び泡の映像及び情報２２Ｂを表示する。このとき、視認部３６から見て、第１の映像２１Ａは第１反射ミラー４によって反射されて第１虚像位置４Ａに表示されるとともに第２の映像２２Ａは第２反射ミラー５によって反射されて第２虚像位置５Ａに表示されるため、第１の映像２１Ａと第２の映像２２Ａとが重ね合わさって表示され奥行きのある映像となる。
【００５５】
次に、映像表示装置１の遊技機６への搭載について説明する。図５に示すように、遊技機６は、操作レバー６１と、停止ボタン６２と、投入口６３と、リール表示部６４と、映像表示部６５と、を備えている。遊技機６は、投入口６３からコインを投入し、操作レバー６１によってリール表示部６４に表示されるリールを回転させ、停止ボタン６２で回転するリールを停止させる。表示制御部１３は、映像表示部６５にリール表示部６４の状態に応じて所定の映像を表示する。映像表示部６５には映像表示装置１の視認部３６が嵌め込まれていて、点線で示すように映像表示装置１０１が遊技機６に内蔵されている。これにより、遊技機６の映像表示部６５において、奥行きのある立体的な映像を映し出すことができる。
【００５６】
このような構成によると、第１反射ミラー４と第２反射ミラー５とは互いに形が異なるため、映像表示装置１で多様な映像表現が可能となる。具体的には、視認部３６から見て第１反射ミラー４と第２反射ミラー５とが重なっていない部分である情報反射領域５３については、第１反射ミラー４と第２反射ミラー５とが重なっている部分と比較して光の透過率が上がる。これにより、情報２２Ｂを第２表示領域２２の当該重なっていない部分に対応する箇所に表示することによって、視認部３６からより鮮明に情報２２Ｂを視認することができる。また、視認部３６から見て第１反射ミラー４に反射された映像と第２反射ミラー５に反射された映像とを重ねて見ることができるため、より奥行き感及び臨場感のある映像を表現することができる。さらに、収容ケース３の少なくとも一部が映像表示手段２で構成されているため、別途映像表示手段２を備えるスペースが不要となり映像表示装置の小型化が可能となる。
【００５７】
このような構成によると、視認部３６は映像表示手段２と右壁３２と左壁３３と正面壁３５とによって区画されているため、収容ケース３は正面壁３５の後方部分に広がりを持たせた構造となっている。これにより、視認部３６から映像表示空間３ａを視認したとき、正面壁３５の後方部分に映像の広がりを持たせることができる。つまり、収容ケース３において視認部３６を周囲の壁で区画することで、映像表示空間３ａを広く演出することができる。また、収容ケース３に視認部３６を設けて視認可能な範囲を限定することにより、第１反射ミラー４と第２反射ミラー５とが互いに反射しあって合わせ鏡のような干渉状態になる位置から視認できなくなる。これにより、映像表示空間３ａを視認可能な位置では、第１反射ミラー４と第２反射ミラー５との干渉が起きない良好な状態の映像を観ることができる。
【００５８】
このような構成によると、第１反射ミラー４は正面壁３５と離間しているため、視認部３６から差し込む蛍光灯等の光が第１反射ミラー４に映りこむことを防止できる。正面壁３５は視認部３６を区画する壁の一つであるため、映像表示空間３ａ内における正面壁３５周辺には視認部３６から外部の光が差し込む。外部の光が蛍光灯等の局所的に明るい光の場合には、第１反射ミラー４の正面壁３５近傍では蛍光灯の映りこみが発生する可能性があるが、本発明では第１反射ミラー４と正面壁３５とは互いに離間しているため、このような問題が生じない。
【００５９】
このような構成によると、また、第２反射ミラー５は底壁３１と離間しているため、第２反射ミラー５と第１反射ミラー４との間の干渉を防止できる。第２反射ミラー５は、第１反射ミラー４と並列に配置されており第２表示領域２２からの光を視認部３６に向けて反射している。このとき、視認部３６から第１反射ミラー４と第２反射ミラー５との間で干渉が起こる可能性があった。しかし、本発明によると第２反射ミラー５は底壁３１と離間しているため、第２反射ミラー５と第１反射ミラー４との干渉を防止することができる。また、第２反射ミラー５は側面視において第１反射ミラー４よりも長さが長いため、第２表示領域２２に表示される映像を第１反射ミラー４よりもさらに深さ方向に広がりのある映像として映像表示空間３ａに表現することができる。
【００６０】
このような構成によると、第１表示領域２１に直交する方向である上方向から見て第１反射ミラー４と第２反射ミラー５との占有面積の合計は第１表示領域２１と第２表示領域２２の面積の合計よりも小さいため、第１反射ミラー４と第２反射ミラー５との干渉を防止することができる。例えば、第１反射ミラー４と第２反射ミラー５との占有面積が第１表示領域２１と第２表示領域２２との面積の合計と同一もしくは大きい場合には、視認部３６から映像表示空間３ａを視認する角度によっては、第１反射ミラー４と第２反射ミラー５との干渉が起きる可能性がある。しかし、第１反射ミラー４と第２反射ミラー５との占有面積の合計を第１表示領域２１と第２表示領域２２の面積の合計よりも小さくすることにより、視認部３６から視認した際の第１反射ミラー４と第２反射ミラー５との干渉を抑えることができる。
【００６１】
次に、図６及び図７を参照して第２の実施の形態について説明する。上述の実施の形態と略同一の構成については同一の符号を付し、説明を省略する。図６及び図７に示すように、前後上下左右方向を定義する。
【００６２】
第２の実施の形態による映像表示装置２０１は、映像表示手段２０２と、収容ケース２０３と、第１反射ミラー４と、第２反射ミラー２０５と、から構成される。収容ケース２０３は、底壁２３１と、右壁２３２と、左壁２３３と、奥壁３４と、正面壁３５と、から構成されていて、内部に映像表示空間２０３ａが規定されている。図７に示す収容ケース２０３の後方の点線は、第１の実施の形態の映像表示手段２及び収容ケース３の形状である。映像表示手段２０２は第１の実施の形態の映像表示手段２と比較して前後方向の長さが短くなっており、収容ケース３０３についても同様に第１の実施の形態の収容ケース３と比較して前後方向の長さが短くなっている。詳細には、底壁２３１、右壁２３２、及び左壁２３３は、第１の実施の形態の底壁３１、右壁３２、及び左壁３３と比べてそれぞれ前後方向の長さが短くなっている。
【００６３】
第２反射ミラー２０５は、所定の割合で光を透過し反射するハーフミラーであって、映像表示空間３ａ内に映像表示手段２に対して４５°傾斜するように配置されている。第２反射ミラー２０５は、側面視における上端部２５１と、上端部２５１の反対側に位置する下端部２５２と、情報反射領域２５３と、を有している。第２反射ミラー２０５の上部はカットされていて上端部２５１が映像表示手段２０２と離間するとともに、下部もカットされていて下端部２５２は底壁２３１と離間している。上端部２５１と映像表示手段２０２との間の領域及び下端部２５２と底壁２３１との間の領域は、本発明の離間領域に相当する。第２反射ミラー２０５は、上端部２５１を延長した場合には点線で表された第１の実施の形態の映像表示手段２と収容ケース３との交点に当接するような位置に配置されている。換言すると、第２反射ミラー２０５は、第１の実施の形態の第２反射ミラー５の上部を所定の距離だけカットしている。
【００６４】
下端部２５２は、図７に点線で示すように、前面視において視認部３６における下端（正面壁３５の上端）よりも下方に位置している。情報反射領域２５３は、視認部３６から視認したときの下端部４２と正面壁３５の上端との間の領域である。目線７から映像表示空間３ａを視認すると、第１反射ミラー４の下端部４２の直下であってその奥に情報反射領域２５３に反射された情報２２Ｂが表示される。
【００６５】
目線７から映像表示空間３ａを視認すると、第２表示領域２２に表示された第２の映像２２Ａ及び情報２２Ｂは第２反射ミラー２０５で反射され、あたかも第２の映像２２Ａが第２虚像位置２０５Ａに存在しているかのように見える。詳細には、第２虚像位置２０５Ａは、上端部２５１を仮想的に延長し第１の実施の形態の映像表示手段２及び収容ケース３と交わった点を中心に、第２反射ミラー２０５を映像表示手段２０２と直交するまで回転させた位置となる。上端部２５１と映像表示手段２０２とが離間しているため、第２の映像２２Ａを第２虚像位置２０５Ａに表示することができる。このとき、第２虚像位置２０５Ａの前後方向における位置は第１の実施の形態の第２虚像位置５Ａと略同一となる。
【００６６】
このような構成によると、第２反射ミラー２０５は映像表示手段２から離間しているため、第２反射ミラー２０５の作り出す虚像の位置を視認部３６に対してより奥に表すことができる。これにより、映像表示手段２及び収容ケース３を小型化しつつ奥行のある映像を作り出すことができる。また、第２反射ミラー２０５は側面視において第１反射ミラー４よりも長さが長いため、第２表示領域２２に表示される映像を第１反射ミラー４よりもさらに深さ方向に広がりのある映像として映像表示空間３ａに表現することができる。
【００６７】
次に、図８を参照して第３の実施の形態について説明する。上述の実施の形態と同様の構成については同一の符号を付し、説明を省略する。図８に示すように、前後上下左右方向を定義する。
【００６８】
映像表示装置３０１は、映像表示手段３０２と、収容ケース３０３と、第１反射ミラー３０４と、第２反射ミラー３０５と、から主に構成されている。映像表示装置３０１は、オブジェクト３０７を展示するためのショーケースである。本実施の形態では、オブジェクト３０７として腕時計を展示している。
【００６９】
映像表示手段３０２は、第１表示領域３２１と、第２表示領域３２２と、を有している。第１表示領域３２１には、第２表示領域３２２に比べて前後方向に短く、デジタルサイネージなどの第１の映像３２１Ａが表示される。第２表示領域３２２には、オブジェクト３０７に関する情報である第２の映像３２２Ａが表示される。映像表示手段３０２は、第１表示領域３２１及び第２表示領域３２２に表示される映像を制御する図示せぬ制御部、及び記憶部等を備えている。
【００７０】
収容ケース３０３の内部には映像表示空間３０３ａが規定され、上部に映像表示手段３０２が配置されている。収容ケース３０３は、底壁３３１と、右壁３３２と、左壁３３３と、奥壁３３４と、正面壁３３５と、から構成される。底壁３３１、右壁３３２、左壁３３３、奥壁３３４、及び正面壁３３５は、いずれも透明なアクリル板で構成されており、周囲の光を透過させる。正面壁３３５は、本発明の視認部に対応している。
【００７１】
第１反射ミラー３０４は、映像表示手段３０２に対して４５°傾斜するように配置されている。第１反射ミラー３０４は、上端が映像表示手段３０２に当接していて下端は正面壁３３５と離間している。第１反射ミラー３０４の下端と正面壁３３５との領域は、本発明の離間領域に相当する。第１反射ミラー３０４は、表面に蒸着処理により反射被膜を形成していないアクリル製の透過性を有する板を用いている。従って、第１反射ミラー３０４は、第１の実施の形態の第１反射ミラー４よりも低い反射率を有している。
【００７２】
正面壁３３５から映像表示装置３０１内部を視認すると、第１表示領域３２１に表示された第１の映像３２１Ａは第１反射ミラー３０４で反射され、あたかも第１の映像３２１Ａが第１虚像位置３０４Ａに存在しているかのように見える。換言すると、第１の映像３２１Ａは、虚像３４１として第１虚像位置３０４Ａに映し出される。第１虚像位置３０４Ａは、上端部を中心に第１反射ミラー３０４を映像表示手段２０２と直交するまで回転させた位置となる。
【００７３】
第２反射ミラー３０５は、映像表示手段３０２に対して４５°傾斜するように配置されている。第２反射ミラー３０５は、上端が映像表示手段３０２に当接していて下端は底壁３３１に当接している。第２反射ミラー３０５は、表面に蒸着処理により反射被膜を形成していないアクリル製の透過性を有する板を用いている。従って、第２反射ミラー３０５は、第１の実施の形態の第２反射ミラー５よりも低い反射率を有している。
【００７４】
正面壁３３５から映像表示装置３０１内部を視認すると、第２表示領域３２２に表示された第２の映像３２２Ａは第２反射ミラー３０５で反射され、あたかも第２の映像３２２Ａが第２虚像位置３０５Ａに存在しているかのように見える。詳細には、第２虚像位置３０５Ａは、上端部を中心に第２反射ミラー３０５を映像表示手段３０２と直交するまで回転させた位置となる。
【００７５】
図８に点線で示すように、第１反射ミラー３０４の前端部と第２反射ミラー３０５の前端部とは、平面視において略一致している。換言すると、平面視において第１反射ミラー３０４は第２反射ミラー３０５と重なっている。
【００７６】
平面視において、第１反射ミラー３０４と第２反射ミラー３０５との占有面積は、第１表示領域３２１と第２表示領域３２２との面積の合計と略同一となっている。なお、第１反射ミラー３０４と第２反射ミラー３０５との占有面積は、第１表示領域３２１と第２表示領域３２２の面積の合計よりも小さくてもよく、大きくてもよい。映像表示装置３０１はオブジェクト３０７を展示するショーケースであるため、オブジェクト３０７のサイズに応じて収容ケース３０３が大きくなる場合がある。このときは、映像表示手段３０２のサイズを変えることなく第１反射ミラー３０４及び第２反射ミラー３０５の端部が目立たないように、第１反射ミラー３０４及び第２反射ミラー３０５を収容ケース３０３の全域に亘って配置することがある。このような場合には、第１反射ミラー３０４と第２反射ミラー３０５との占有面積は、第１表示領域３２１と第２表示領域３２２の面積の合計よりも大きくなる。
【００７７】
映像表示手段３０２は、第１表示領域３２１に第１の映像３２１Ａのより目立たせたい情報表示領域として文字列や画像を表示すると同時に、第２表示領域３２２に第２の映像３２２Ａであるオブジェクト３０７に関する映像を表示する。図示せぬ制御部は、オブジェクト３０７の位置に基づいて、第２の映像３２２Ａを表示する。このとき、正面壁３３５から見て、第１の映像３２１Ａは第１反射ミラー３０４によって反射されて第１虚像位置３０４Ａに表示されるとともに第２の映像３２２Ａは第２反射ミラー３０５によって反射されて第２虚像位置３０５Ａに表示されるため、第１の映像３２１Ａと第２の映像３２２Ａとが重ね合わさって表示され奥行きのある映像となる。
【００７８】
第１反射ミラー３０４と第２反射ミラー３０５とは平面視において重なっているため、第１の映像３２１Ａは第１反射ミラー３０４の下面で後方に向けて反射し、第２虚像位置３０５Ａの上部に第１の映像３２１Ａの虚像３５１を映しだす。同時に、第１反射ミラー３０４を透過した第１の映像３２１Ａが第２反射ミラー３０５によって第２虚像位置３０５Ａの下部に第１の映像３２１Ａの虚像３５２を映し出す。つまり、第１反射ミラー３０４と第２反射ミラー３０５とが平面視において重なっているため、正面壁３３５から視認すると、第１の映像３２１Ａの虚像３４１が第１虚像位置３０４Ａに映し出されるとともに、第２虚像位置３０５Ａの上部に虚像３５１として映し出され、下部に虚像３５２として映し出される。このとき、第２虚像位置３０５Ａの上部に映し出される第１の映像３２１Ａの虚像３５１は、第１虚像位置３０４Ａにおける虚像３４１の位置と略一致している。
【００７９】
第１反射ミラー３０４及び第２反射ミラー３０５は、透過性を有するアクリル製であるため反射率が低く、右壁３３２、左壁３３３、及び奥壁３３４はいずれも透過性を有しているため、周囲の光によって映像表示装置３０１内部が明るくなり、第１反射ミラー３０４と第２反射ミラー３０５との干渉が発生しない。
【００８０】
第２反射ミラー３０５も同様にアクリル製であるため、後方に配置されているオブジェクト３０７を透過させる。また、右壁３３２及び左壁３３３はいずれもアクリル製であるため周囲の光によってオブジェクト３０７をより際立たせることができる。
【００８１】
このような構成によると、収容ケース３０３はすべての壁が透明なアクリル製であるため、外部からの光を映像表示空間３０３ａに取り込むことができる。これにより、映像表示空間３０３ａが明るくなって、映像表示空間３０３ａに配置されるオブジェクト３０７を際立たせることができる。収容ケース３０３において、アクリル素材の面積を増やすほど外部から取り込まれる光の量が多くなるため、第１反射ミラー３０４及び第２反射ミラー３０５から正面壁３３５に向けて反射される映像に比べてオブジェクト３０７をより鮮明に見せることができる。また、収容ケース３０３におけるアクリル素材の面積を任意に設定することにより、映像表示空間３０３ａへ入る光の量を調節することができる。これにより、オブジェクト３０７と、第１反射ミラー３０４及び第２反射ミラー３０５から正面壁３３５に向けて反射される映像と、の目立ち具合を任意に設定することができるため、オブジェクト３０７の多様な見せ方を演出することができる。
【００８２】
このような構成によると、第１反射ミラー３０４と第２反射ミラー３０５とは平面視において互いに重複しているため、第１の映像３２１Ａは、第１反射ミラー３０４及び第２反射ミラー３０５のいずれにおいても反射されて複数の虚像３４１、３５１、３５２を作り出すことができる。これにより、映像表示装置３０１によって多様な映像表現が可能となる。
【００８３】
次に、図９（ａ）を参照して第４の実施の形態について説明する。上述の実施の形態と同様の構成については同一の符号を付し、説明を省略する。図９（ａ）に示すように、前後上下左右方向を定義する。
【００８４】
映像表示装置４０１は、映像表示手段２と、収容ケース４０３と、第１反射ミラー４０４と、第２反射ミラー４０５と、から構成されている。収容ケース４０３は略直方体形状をなし、内部に映像表示空間４０３ａが規定されている。第１反射ミラー４０４は、所定の割合で光を透過し反射するハーフミラーであって、映像表示手段２に対して４５°傾斜するように配置されている。第１反射ミラー４０４の上端は映像表示手段２に当接していて、下端は底壁３１に当接している。
【００８５】
第２反射ミラー４０５は、所定の割合で光を透過し反射するハーフミラーであって、映像表示手段２に対して４５°傾斜するように配置されている。第２反射ミラー４０５の上端は映像表示手段２に当接し、下端は底壁３１に当接し、左右方向における両端が右壁３２及び左壁３３と離間することにより、離間領域４０５ａが規定されている。視認部４３６は、映像表示手段２と、底壁３１と、右壁３２と、左壁３３と、によって区画された開口である。
【００８６】
第２反射ミラー４０５の後方には、左右方向全幅に亘ってオブジェクト４０６が設けられている。正面から見て、オブジェクト４０６の中央部分は第１反射ミラー４０４及び第２反射ミラー４０５と重複していて、左右方向両端部は第１反射ミラー４０４にのみ重複している。
【００８７】
このような構成によると、視認部４３６から映像表示空間４０３ａを視認したときオブジェクト４０６の少なくとも一部が離間領域４０５ａと重複しているため、視認部４３６からオブジェクト４０６を明確に視認することができる。つまり、離間領域４０５ａとオブジェクト４０６の少なくとも一部とが重複しているため、第２反射ミラー４０５によって減光されることなくオブジェクト４０６を視認部４３６から視認するため、オブジェクト４０６を明確に視認することができる。また、第１反射ミラー４０４の透過率を低く設定することにより第１表示領域２１に表示される映像を強調できるとともに、透過率を高く設定することにより第１表示領域２１に表示される映像を弱めて第２表示領域２２に表示される映像を際立たせることができる。これにより、映像表示装置で多様な映像表現が可能となる。
【００８８】
次に、図９（ｂ）を参照して第５の実施の形態について説明する。上述の実施の形態と同様の構成については同一の符号を付し、説明を省略する。図９（ｂ）に示すように、前後上下左右方向を定義する。
【００８９】
映像表示装置５０１は、映像表示手段２と、収容ケース４０３と、第１反射ミラー４０４と、第２反射ミラー５０５と、から構成されている。第２反射ミラー５０５は、所定の割合で光を透過し反射するハーフミラーであって、映像表示手段３０２に対して４５°傾斜するように配置されている。第２反射ミラー５０５は、点線で示す第２反射ミラー４０５よりも小さく、収容ケース３と離間している。第２反射ミラー５０５は、図示せぬオブジェクトによって支持されている。換言すると、第２反射ミラー５０５の周囲には、離間領域５０５ａが規定されている。
【００９０】
本発明による映像表示装置及び遊技機は、上述した実施の形態に限定されず、特許請求の範囲に記載された発明の要旨の範囲内で種々の変更が可能である。
【００９１】
上述の形態では、第１反射ミラー及び第２反射ミラーを映像表示手段に対して４５°傾斜して配置したが、これに限定されない。第１反射ミラー４及び第２反射ミラー５の少なくとも一方の傾斜角度を、変更してもよい。例えば、第３の実施の形態において、第１反射ミラー及び第２反射ミラー５の傾斜角度を４５°よりも小さい３０°とすることにより、目線よりも低い位置に映像表示装置が配置されていて映像表示空間３ａを斜め上方から視認した場合であっても、映像表示空間３ａ内の映像を歪ませることなく表示することができる。また、視認部を斜め上方に開口するように規定した場合には、第１反射ミラー及び第２反射ミラーの傾斜角度を小さくすることにより、映像表示空間内の映像を歪ませることなく表示することができる。これにより、映像表示装置で多様な映像表現が可能となる。また、第１反射ミラー及び第２反射ミラーの少なくとも一方の傾斜角度を変えることによって、虚像を斜めに表示することができる。
【００９２】
第１の実施の形態では、収容ケース３の上面に映像表示手段２を設けていたが、これに限定されない。例えば、収容ケースの下面に映像表示手段を設けてもよい。また、収容ケースの上面及び後面に映像表示手段を設けてもよい。これにより、奥面での映像表示も可能となるため、さらに奥行き感のある映像を表現することができる。
【００９３】
第１の実施の形態では、映像表示装置１を搭載する遊技機６としてパチスロ機を用いたが、これに限定されない。例えば、パチンコ機であってもよく、ゲームセンターなどに配置されるゲーム機や自動販売機、また、家庭用ゲーム機や携帯用ゲーム機であってもよい。
【００９４】
第１の実施の形態では、第２反射ミラー５は後方からの光を透過するハーフミラーであったが、これに限定されない。例えば、第２反射ミラー５は後方の光を通過しない完全なミラーであってもよい。また、第１反射ミラー及び第２反射ミラーとして透過率が１０％〜３０％のものが望ましいが、透過率がさらに高いアクリル、塩ビ、ＰＥＴ、ポリカーボネート等の透明な板であって表面に反射被膜が形成されていないものを用いてもよい。
【００９５】
第１の実施の形態では、収容ケース３に第１反射ミラー４及び第２反射ミラー５の２つの反射ミラーが配置されていたが、これに限定されない。例えば、３つ以上の反射ミラーが配置されていてもよい。このときは、配置された反射ミラーの枚数に応じて映像表示手段の表示領域を区画する必要がある。
【００９６】
第２の実施の形態では、第２反射ミラー２０５と映像表示手段２０２とが離間していたが、第１反射ミラー及び第２反射ミラーの少なくとも一方が映像表示手段と離間していてもよい。
【００９７】
第３の実施の形態では、第１反射ミラー３０４と第２反射ミラー３０５とが平面視において重複していたが、これに限定されない。図１０を参照して、第３の実施の形態の変形例を説明する。第３の実施の形態と同様の構成については同一の符号を付し、説明を省略する。図１０に示すように、前後上下左右方向を定義する。なお、図１０においては、オブジェクトの図示を省略する。
【００９８】
映像表示装置６０１の第２反射ミラー６０５は、平面視において第１反射ミラー３０４と重なっていない。この状態で映像表示装置６０１を目線７から見ると、第１の映像３２１Ａは第１虚像位置３０４Ａの位置に虚像が表示されるとともに、第２虚像位置３０５Ａの上部に虚像が表示される。目線３７１から映像表示装置６０１を見ると、第１の映像３２１Ａが第１虚像位置３０４Ａ及び第２虚像位置３０５Ａの上部に表示されるとともに、第１の映像３２１Ａが第２反射ミラー６０５で反射し、第３虚像位置６０５Ａに虚像６５２を映し出す。換言すると、第１表示領域３２１からの光は点線で示すように、第２反射ミラー６０５の表面で反射して目線３７１に入射するとともに底壁３３１のさらに深い位置である第３虚像位置６０５Ａに第１表示領域３２１の映像を映し出す。これにより、目線を変えることによって、第３の実施の形態のように第１反射ミラー３０４と第２反射ミラー３０５とを重ねたような映像表現をすることができる。
【００９９】
第３の実施の形態では、収容ケース３０３は、底壁３３１と、右壁３３２と、左壁３３３と、奥壁３３４と、正面壁３３５と、により構成されていたが、これに限定されない。例えば、底壁を除く４つの壁のうち少なくとも２つで映像表示手段３０２を支持してもよい。具体的には、正面壁と奥壁とが存在しない収容ケースであって、右壁と左壁と映像表示手段を支持してもよい。
【０１００】
第３の実施の形態では、第１反射ミラー３０４の上端が映像表示手段３０２と当接するように配置されていたが、これに限定されない。第１反射ミラーは映像表示手段と離間し底壁と当接するように収容ケースの下部に配置してもよい。
【０１０１】
第３の実施の形態では、奥壁３３４は透明なアクリル製だったが、黒塗の部材であってもよい。これにより、第２反射ミラー３０５によって反射される映像を際立たせることができる。
【０１０２】
第３の実施の形態では、第１反射ミラー３０４はハーフミラーであったが、光の透過率がゼロの完全なミラーであってもよい。これにより、第１の映像３２１Ａをより目立たせることができる。また、第１反射ミラー３０４及び第２反射ミラー３０５の透過率を任意に設定することにより、オブジェクト４０７の見せ方を多様に演出することができる。
【０１０３】
第３の実施の形態では、第１反射ミラー３０４及び第２反射ミラー３０５として透明なアクリル製の板を用いたがこれに限定されない。表面に反射被膜の形成されていない、透過性を有する塩ビ、ＰＥＴ、ポリカーボネート、ガラス等の素材の板を用いてもよい。
【０１０４】
第３の実施の形態では、映像表示手段３０２が制御部及び記憶部を備えていたが、これに限定されない。例えば、外部ＰＣに接続することにより、映像表示手段３０２を制御してもよい。
【０１０５】
第４の実施の形態の映像表示装置４０１を遊技機に搭載してもよく、第５の実施の形態の映像表示装置５０１を遊技機に搭載してもよい。また、これらの映像表示装置４０１及び５０１をゲームセンターなどに配置されるゲーム機や自動販売機、また、家庭用ゲーム機や携帯用ゲーム機であってもよい。
【符号の説明】
【０１０６】
１，２０１，３０１，４０１，５０１      映像表示装置
２，２０２，３０２      映像表示手段
３，２０３，３０３      収容ケース
４，３０４，４０４      第１反射ミラー
５，２０５，３０５，４０５，５０５      第２反射ミラー
６      遊技機
２１，３２１    第１表示領域
２２，３２２    第２表示領域
３１，２３１，３３１    底壁
３２，２３２，３３２    右壁
３３，２３３，３３３    左壁
３４，３３４    奥壁
３５，３３５    正面壁
３６    視認部
３０７，４０６  オブジェクト
【図１】
2019164307.tif 000003
【図２】
2019164307.tif 000004
【図３】
2019164307.tif 000005
【図４】
2019164307.tif 000006
【図５】
2019164307.tif 000007
【図６】
2019164307.tif 000008
【図７】
2019164307.tif 000009
【図８】
2019164307.tif 000010
【図９】
2019164307.tif 000011
【図１０】
2019164307.tif 000012
【図１１】
2019164307.tif 000013